(57)【要約】【課題】  従来の単なる画数のみで判断される姓名判断法を改良する。【解決手段】  祖先の境涯・人格・存在性・幸不幸の自覚などの遺伝子内に入力されたデータから構成される創世霊と前記創世霊の影響を受けて形成された生き方の指針から構成される現世魂と総体的な運勢から構成される大局運と本人が持って生れた本来の位置から構成される家系譜・出生順位相と、愛情運から構成される結婚・相性と金銭運から構成される仕事と寿命から構成される健康とから姓名を判断及び、その主要な構成が１２のタイプからなる基礎運と該基礎運の補足構成が３６のタイプからなる影響運とから構成される霊遺伝子から解く姓名判断法の提供。。【特許請求の範囲】
【請求項１】
祖先の境涯・人格・存在性・幸不幸の自覚などの遺伝子内に入力されたデータから構成される創世霊と、前記創世霊の影響を受けて形成された生き方の指針から構成される現世魂と、総体的な運勢から構成される大局運と、本人が持って生れた本来の位置から構成される家系譜・出生順位相と、愛情運から構成される結婚・相性と、金銭運から構成される仕事と、寿命から構成される健康と、から姓名を判断することを特徴とする霊遺伝子から解く姓名判断法。
【請求項２】
前項の姓名判断法において、その主要な構成が１２のタイプからなる基礎運と該基礎運の補足構成が３６のタイプからなる影響運とから構成される請求項１記載の霊遺伝子から解く姓名判断法。
【請求項３】
請求項１記載の姓名判断法において、隔世遺伝を１２タイプに分類する基礎運のうち、縦型タイプが実力開花運である請求項１記載の霊遺伝子から解く姓名判断法。
【請求項４】
請求項１記載の姓名判断法において、隔世遺伝を１２タイプに分類する基礎運のうち、斜め型タイプが人気スター運である請求項１記載の霊遺伝子から解く姓名判断法。
【請求項５】
請求項１記載の姓名判断法において、隔世遺伝を１２タイプに分類する基礎運のうち、横型タイプが自己演出運である請求項１記載の霊遺伝子から解く姓名判断法。
【請求項６】
請求項１記載の姓名判断法において、隔世遺伝を１２タイプに分類する基礎運のうち、上下型タイプが他郷進出運である請求項１記載の霊遺伝子から解く姓名判断法。
【請求項７】
請求項１記載の姓名判断法において、隔世遺伝を１２タイプに分類する基礎運のうち、オール同数型タイプが天才か狂人運である請求項１記載の霊遺伝子から解く姓名判断法。
【請求項８】
請求項１記載の姓名判断法において、隔世遺伝を１２タイプに分類する基礎運のうち、表十字型タイプが奇人変人運である請求項１記載の霊遺伝子から解く姓名判断法。
【請求項９】
請求項１記載の姓名判断法において、隔世遺伝を１２タイプに分類する基礎運のうち、隔離型タイプが先駆者運である請求項１記載の霊遺伝子から解く姓名判断法。
【請求項１０】
請求項１記載の姓名判断法において、隔世遺伝を１２タイプに分類する基礎運のうち、順序型タイプが羨望運である請求項１記載の霊遺伝子から解く姓名判断法。
【請求項１１】
請求項１記載の姓名判断法において、隔世遺伝を１２タイプに分類する基礎運のうち、中一差隔離他順序型タイプが組織擁立運である請求項１記載の霊遺伝子から解く姓名判断法。
【請求項１２】
請求項１記載の姓名判断法において、隔世遺伝を１２タイプに分類する基礎運のうち、中二差隔離他順序型タイプが大器晩成運である請求項１記載の霊遺伝子から解く姓名判断法。
【請求項１３】
請求項１記載の姓名判断法において、隔世遺伝を１２タイプに分類する基礎運のうち、中三差隔離他順序型タイプが混迷自虐運である請求項１記載の霊遺伝子から解く姓名判断法。
【請求項１４】
請求項１記載の姓名判断法において、隔世遺伝を１２タイプに分類する基礎運のうち、中順序他隔離型タイプが悔い千歳運である請求項１記載の霊遺伝子から解く姓名判断法。
【請求項１５】
請求項２記載の姓名判断法において、基礎運が先祖運・性格運・愛情運・行動運とからなり、かつ影響運が上影・下影・能動運・前半運・後半運・総合運とからなる請求項１及び請求項２乃至１４記載の霊遺伝子から解く姓名判断法。
【発明の詳細な説明】
【技術分野】
【０００１】
本発明は姓名判断の方法に関するが、詳しくは霊遺伝子から解く姓名判断法に関するものである。
【背景技術】
【０００２】
姓名判断方法には従来から種々の方法が開発されており、その内容は多くの出版物で市販化されている。これらの従来方法による姓名判断方法は、主として氏名の字画数から判断されており全く科学的な根拠のない判断結果であった。
【発明の開示】
【発明が解決しようとする課題】
【０００３】
このような従来公知に基づく姓名判断方法を、より科学的な根拠に基づく姓名判断方法にするところに本発明が解決しようとする課題を有する。
【課題を解決するための手段】
【０００４】
本発明は上記の如き課題を解決するために開発したものであって、祖先の境涯・人格・存在性・幸不幸の自覚などの遺伝子内に入力されたデータから構成される創世霊と前記創世霊の影響を受けて形成された生き方の指針から構成される現世魂と総体的な運勢から構成される大局運と本人が持って生れた本来の位置から構成される家系譜・出生順位相と愛情運から構成される結婚・相性と、金銭運から構成される仕事と寿命から構成される健康とから姓名を判断することを特徴とする霊遺伝子から解く姓名判断法の提供にあり、また前記の姓名判断法においてその主要な構成が１２のタイプからなる基礎運と該基礎運の補足構成が３６のタイプからなる影響運とから構成される霊遺伝子から解く姓名判断法の提供にあり、また前記の姓名判断法において隔世遺伝を１２タイプに分類する基礎運のうち縦型タイプ運が実力開花運である霊遺伝子から解く姓名判断法と前記の姓名判断法において隔世遺伝を１２タイプに分類する基礎運のうち斜め型タイプ運が人気スター運である霊遺伝子から解く姓名判断法と、前記の姓名判断法において隔世遺伝を１２タイプに分類する基礎運のうち横型タイプ運が自己演出運である霊遺伝子から解く姓名判断法と、前記の姓名判断法において隔世遺伝を１２タイプに分類する基礎運のうち上下型タイプ運が他郷進出運である霊遺伝子から解く姓名判断法と前記の姓名判断法において隔世遺伝を１２タイプに分類する基礎運のうちオール同数型タイプ運が天才か狂人運である霊遺伝子から解く姓名判断法と、前記の姓名判断法において隔世遺伝を１２タイプに分類する基礎運のうち表十字型タイプ運が奇人変人運である霊遺伝子から解く姓名判断法と、前記の姓名判断法において隔世遺伝を１２タイプに分類する基礎運のうち隔離型タイプ運が先駆者運である請求項１記載の霊遺伝子から解く姓名判断法と、前記の姓名判断法において隔世遺伝を１２タイプに分類する基礎運のうち順序型タイプ運が羨望運である霊遺伝子から解く姓名判断法と、前記の姓名判断法において隔世遺伝を１２タイプに分類する基礎運のうち中一差隔離他順序型タイプ運が組織擁立運である霊遺伝子から解く姓名判断法と、前記の姓名判断法において隔世遺伝を１２タイプに分類する基礎運のうち中二差隔離他順序型タイプ運が大器晩成運である霊遺伝子から解く姓名判断法と前記の姓名判断法において隔世遺伝を１２タイプに分類する基礎運のうち中三差隔離他順序型タイプ運が混迷自虐運である霊遺伝子から解く姓名判断法と、前記の姓名判断法において隔世遺伝を１２タイプに分類する基礎運のうち中順序他隔離型タイプ運が悔い千歳運である霊遺伝子から解く姓名判断法と、更に前記の姓名判断法において基礎運が先祖運・性格運・愛情運・行動運とからなりかつ影響運が上影・下影・能動運・前半運・後半運・総合運とからなるの霊遺伝子から解く姓名判断法の提供にある。
【発明の効果】
【０００５】
本発明は、祖先の境涯・人格・存在性・幸不幸の自覚などの遺伝子内に入力されたデータから構成される創世霊と前記創世霊の影響を受けて形成された生き方の指針から構成される現世魂と総体的な運勢から構成される大局運と本人が持って生れた本来の位置から構成される家系譜・出生順位相と愛情運から構成される結婚・相性と金銭運から構成される仕事と寿命から構成される健康とから姓名を判断することを特徴とする霊遺伝子から解く姓名判断法であり、また前記の姓名判断法においてその主要な構成が１２のタイプからなる基礎運と該基礎運の補足構成が３６のタイプからなる影響運とから構成される請求項１記載の霊遺伝子から解く姓名判断法であり、また前記の姓名判断法において隔世遺伝を１２タイプに分類する基礎運のうち縦型タイプ運が実力開花運である霊遺伝子から解く姓名判断法であり、また前記の姓名判断法において隔世遺伝を１２タイプに分類する基礎運のうち斜め型タイプ運が人気スター運である霊遺伝子から解く姓名判断法であり、また前記の姓名判断法において隔世遺伝を１２タイプに分類する基礎運のうち横型タイプ運が自己演出運である霊遺伝子から解く姓名判断法であり、また前記の姓名判断法において隔世遺伝を１２タイプに分類する基礎運のうち上下型タイプ運が他郷進出運である霊遺伝子から解く姓名判断法であり、また前記の姓名判断法において隔世遺伝を１２タイプに分類する基礎運のうちオール同数型タイプ運が天才か狂人運である霊遺伝子から解く姓名判断法であり、また前記姓名判断法において隔世遺伝を１２タイプに分類する基礎運のうち表十字型タイプ運が奇人変人運である霊遺伝子から解く姓名判断法であり、また前記の姓名判断法において隔世遺伝を１２タイプに分類する基礎運のうち隔離型タイプ運が先駆者運である霊遺伝子から解く姓名判断法であり、また前記の姓名判断法において隔世遺伝を１２タイプに分類する基礎運のうち順序型タイプ運が羨望運である霊遺伝子から解く姓名判断法であり、また前記の姓名判断法において隔世遺伝を１２タイプに分類する基礎運のうち中一差隔離他順序型タイプ運が組織擁立運である霊遺伝子から解く姓名判断法であり、また前記の姓名判断法において隔世遺伝を１２タイプに分類する基礎運のうち中二差隔離他順序型タイプ運が大器晩成運である霊遺伝子から解く姓名判断法であり、また前記の姓名判断法において隔世遺伝を１２タイプに分類する基礎運のうち中三差隔離他順序型タイプ運が混迷自虐運である霊遺伝子から解く姓名判断法であり、また前記の姓名判断法において隔世遺伝を１２タイプに分類する基礎運のうち中順序他隔離型タイプ運が悔い千歳運である霊遺伝子から解く姓名判断法であるから、次のような多くの効果が得られる。
ア、本発明の霊遺伝子から解く姓名判断法によれば、その人の名前を解読するだけでその  人がこの世で果す役割が解かり、その結果である運命も解かる。
イ、従来の姓名判断が画数をブロックごとに分類してその画数を読み判断する方法である  のに対して、本発明方法はその人の本質である存在をズバリ指摘する方法であるから最  強の姓名判断方法といえる。
【０００６】
また本発明は、姓名判断法において基礎運が先祖運・性格運・愛情運・行動運とからなりかつ影響運が上影・下影・能動運・前半運・後半運・総合運とからなる霊遺伝子から解く姓名判断法であるから、従来方法では得られない姓名判断が可能となった。
【発明を実施するための最良の形態】
【０００７】
本発明の最良な実施形態は、祖先の境涯・人格・存在性・幸不幸の自覚などの遺伝子内に入力されたデータから構成される創世霊と、前記創世霊の影響を受けて形成された生き方の指針から構成される現世魂と、総体的な運勢から構成される大局運と、本人が持って生れた本来の位置から構成される家系譜・出生順位相と、愛情運から構成される結婚・相性と、金銭運から構成される仕事と、寿命から構成される健康と、から姓名を判断することを特徴とする霊遺伝子から解く姓名判断法であるから、従来の一般的な姓名の画数から判断する方法よりも科学的で真実味のある姓名判断が可能となる。
【０００８】
また本発明の最良な実施形態は、前記の姓名判断法において隔世遺伝を１２タイプに分類する基礎運が縦型タイプ運と斜め型タイプ運と横型タイプ運と上下型タイプ運オール同数型タイプ運と表十字型タイプ運隔離型タイプ運と順序型タイプ運と中一差隔離他順序型タイプ運と中二差隔離他順序型タイプ運と中三差隔離他順序型タイプ運と中順序他隔離型タイプ運とから構成されているので、従来方法よりも容易で的確な姓名判断を行うことができる。
【実施例１】
【０００９】
まず、本発明の霊遺伝子から解く姓名判断法は、次の７つの手順によって判断する。霊魂こそは、現在この世に生きている人の幸・不幸を確定する鍵となるものと位置づけ、一方遺伝子とは一般には医科学的な分野でいう身体の特徴を伝えるものであるが、同等に精神的なものの考え方や行動性の特質を伝える何かが存在するものである。霊魂こそは、この精神的な要素を伝える遺伝子であり血系の内に潜んで代々息づいているものである。霊遺伝姓名学は、このことを最も重視した姓名判断法である。以下、その手順７項目は次のとおりである。
【００１０】
創世霊：先祖の境涯・人格・存在性・幸不幸の自覚など遺伝子内に入力されたデータ
現世魂：創世霊の影響を受けて形成された生き方の指針
大局運：総体的な運勢
家系譜・出席順位相：持って生まれた本来のポジション
結婚・相性：愛情運
仕事：金銭運
健康：寿命
このような霊遺伝姓名学は基礎運と影響運に大別しされ、基礎運は隔世遺伝で１２のタイプに影響運は直接遺伝で３６のタイプに分けて分析されている。霊遺伝姓名学における隔世遺伝とは、高祖父母・會祖父母といった先祖累代の霊魂が祖父母の代で凝結し、それが総体的に現れることをいい、直接遺伝とは祖父母と父母の代で叶えられなかったり欠けていたものが次世代で叶えられ満たされるよう託されて現れるこという。一方、霊魂は先祖の大脳と子孫の大脳をつなぐネットワークであると云える。また、霊魂は精神を操作し死後は遺伝子に潜伏して次世代に引き継がれる。そして、霊魂は潜在する記憶としてその人間の本質を支配するとも云える。また魂は遺伝子に潜伏して次世代に伝わりそこで再び解決を待ち、その魂が霊となりその人の個性を形づくり使命や目標を抱えて再びこの世に挑戦するのである。これを霊の伝承方式といい、生物学で云う進化論と非常によく似たパターンを示し進化を促進しているのも霊の作用である。
【００１１】
次に、本発明の姓名判断法で大別されている１２タイプの基礎運について説明する。まず１２の基礎運に当たる割り出し方である。
【００１２】
例えば、表１に示すように竹下景子の名前について和数と生数を求める。すなわち、姓名をＡ、Ｂ、Ｃ、Ｄの四ブロックに分けてから、「先祖運」「性格運」「愛情運」「行動運」の数を割り出し、和数（わすう）と生数（しょうすう）をそれぞれ求める。
【００１３】
【表１】
2006350446.tif 000002
ついで、同数取りの方法で型や系を出す。同数取りとは、同じ数字をつなぐことで型を出す方法であり、和数で同じ数字同士をつなぎそれが終わったら生数でも同じようにつないでどんなパターンが描けたかを確認する。この同数取りで割り出せる型は、タテ・ヨコ・斜め・上下の四つの「主流型」と、表十字・オール同数の二つの個性型に大別する。その際、同じ数字がない場合は連続している数字あるいは一つだけ離れている数字をつないで割り出す。ついで、間隔取りの方法で型や系を出す。間隔取りは、数字の間の差を測り型を出す方法であり、和数と生数をそれぞれ時計の文字盤のように環状に並べ、１で割り出した数を丸で囲み数字の間で一番狭いところが幾つ離れているかをみる。それが終わったら、生数でも同じようにやってみる。このようにして、間隔取りで割り出せる型は順序型・隔離型の二つの「個性型」と、四つの「継承型」に大別される。以上の前提条件に基き、１２タイプの基礎運について説明する。
【００１４】
〈基礎運〉
縦型タイプ（実力開花運）
例えば、表２に示す織田信長の場合は次のようになる。
【００１５】
【表２】
2006350446.tif 000003
先祖：祖父か祖母は養子かそれに似た立場にいたので親に守ってもらえず孤立するタイプ。このタイプで、祖父母が養子でなく実の子ならば短命か破産の経験があり、どちらにしても存在が否定される。
現世：困難な状況でもくじけずに立ち向かい勝ち気で負けずきらいな性格のタイプ。最後までやりとげなければ気がすないなど完璧主義者が多い。
家系：女系家族で父は分家か養子のタイプ。祖父母とが父母代がまずしいと初代運となるが、逆に豊かであると豊かな状況は終わることになる。
出生：女性なら姉や妹が男性なら兄や弟が排斥されるタイプ。つまり、同性の排除運でありその弟や妹は早死するか子孫ができないことになる。
総合：とても勢いがある運勢で信じる道をひたすら走りつづけるタイプ。どのような障害でものりこえて勝利者になり、信念をもち自信に満ちあふれている。また考えかたは、科学・合理的で努力家でガンコである。
相性・結婚：順序すなわちバランス型がいちばん合いまたオール同数の天才狂人型や表十字の奇人変人型と結ばれるとうまくいかない。一方、献身的だが相手が浮気をしたら自分も浮気をしてしかえしするタイプでもある。
仕事：初代運であれば成功するタイプ。繁栄した家の三代目であればどん底を経験する。健康：首・関節・アキレス腱・糖尿病・自律神経系の病気や肺・胃・肝臓・すい臓ガンに注意を要する。女性はとくに子宮ガンに注意し４５から５５歳が危険である。
男性の場合：どんな道にすすんでも成功する可能性を秘めている。
女性の場合：仕事で成功しても家庭運では苦労する。
アドバイス：ガンコだが自信とやる気にあふれた痛快な人物に多い。自分だけが正しいと思っていると、そのうちただのガンコな年寄りになってしまう。
斜め型タイプ（人気スター運）
例えば、表３に示す武田信玄の場合は次のようになる。
【００１６】
【表３】
2006350446.tif 000004
先祖：男性なら母方の祖母が女性なら父方の祖父がトラブルなどを起こし、親族から縁を切られて孤立するタイプ。また、男性短命家系でありそのために家はまずしく家族が散り散りになることが多い。
現世：一族からみはなされた魂が遺伝したためにうらみを晴らそうとする。このタイプは、カリスマ性をもった人気スターをねらい世間をアッといわせたり、すぐれた感性があり直感力や第六感、霊感もある。
家系：女系家族の三代目タイプ。祖父は婿養子でなければ短命となり、女性が家を支える。
出生：三代目にできた子だが同性の兄か姉が欠けて長男か長女の立場となる。そうでなければ六番目か九番目の子であり、父母が経済的に苦しいかあるいは離婚の危機の状態にあったときに誕生したが生命力旺盛で授かった子となる。
総合：危機感を強くもち、自分の身の安全を守ろうとする傾向がとても強い。するどい感性をもつが喜怒哀楽もはげしい。いわゆるチャンスを自分でものにするタイプである。
相性・結婚：ヨコのプライド型が最適であり中順序の波乱型とも合うタイプ。隔離の先駆者型・上下のチャレンジ型・タテのガンコ型との相性はわるい。
仕事：多くの人間の上に立つような大きな仕事はムリ。ワンマンだったら成功する可能性もあり金銭感覚はしっかりしている。不動産業・ファッション関係・芸能界・弁護士・会計士・医師などに向いている。
健康：自己管理をしっかりして長生きする。健康食品やダイエットに関心がある人が多いタイプ。
男性の場合：ひとりでできる仕事に向いている。とくに、国家試験をパスして得るような仕事に向いている。
女性の場合：潔癖症をあらためるのがよい。
アドバイス：いったんきらいとなれば、とことんきらいになる性格である。わがままそうだけどホントはいい人で評価も上がる。
横型タイプ（自己演出運）
例えば、表４に示す木下藤吉郎の場合は次のようになる。
【００１７】
【表４】
2006350446.tif 000005
祖先：祖父母の代で配偶者とのいざこざで泣き、相手をうらみながらもそれでも慕うタイプ。この相反するものが同居して不仲で悶々とした人生を送ることになる。
現世：仁・義・礼・智・信の五つの徳を身につけることを願っている。自分の人格に挌をつけて人からほめられたいと望むタイプである。
家系：祖父母の代のなかごろまでは栄えるが、その後半からと父母の代で落ちぶれた家となる。
出生：家にできた三番目の子だが、兄や姉が死ぬかいなくなるかして長男や長女の立場になることが多い。
総合：外見は上品で優雅である。すでに価値があると認められているものを重視し、プライドが高くて礼儀を重くみる。品がある人を理想とする。
相性・結婚：斜めのスター型が最適で斜めの連続の中一差の辛抱型や順序のバランス型も結婚相手に向いている。
仕事：プライドが高くてブランド志向なので、時代の先端をいく仕事がよい。体より頭を使う仕事が向いている。
健康：肺・心臓・脾臓・肝臓・腎臓の病気や糖尿病に注意を要する。とくに、女性は乳ガンに注意が必要である。
男性の場合：うまくすると成功するが、わるくするとうわべだけで生きる人生となる。
女性の場合：やさしくてしとやかである。
アドバイス：とにかく、もっと他人とうちとけるようにする。とくに、ミスを指摘されたときのあたなの態度はちょっと問題となる。プライドが高く礼儀もわきまえているがたくさんの人と交わり知識を高めて教養を世間に役立ててこそパーフェクトなものになる。
上下型タイプ（他郷進出運）
例えば、表５に示す石田三成の場合は次のようになる。
【００１８】
【表５】
2006350446.tif 000006
先祖：ひとことでいうと捨て子の因縁運のタイプ。初めてできた子か最後にできた子を不要として養子に出している。女性短命家系で先妻の祖母は子どもを三人くらい生んだあとに短い人生を終えて残された家族は絶望する。
現世：先祖のうらみを晴らすためにものごとに直進する。新天地に自由をもとめ、それにふさわしい勇気と決断力をもち大胆な行動をするタイプである。                      家系：養子縁組か後夫・後妻でつづいてきた家系が多い。長男なら父が短命であり長女なら母親と縁がない。
出生：一般的に最後の子として生まれ、それが長男や長女として生まれた場合は両親が離婚の危機に面していたか、死別する運命にあるときに生まれる。
総合：口数がすくなくておとなしくみられるが、大胆な行動をして自力で道をひらくことができる。決断力があり刺激的な生きかたをする。
相性・結婚：隔離の先駆者型が最適であり恋愛結婚が多い。
仕事：多くの財産を手にできるが世のなかの景気がわるくなると大型倒産が目立つ。
健康：幼児期に体が弱かったが小学校５、６年ころから回復する。ケガが多く交通事故がいちばん多いタイプ。自立神経失調症・胃腸・糖尿病・腎盂炎・膀胱炎・結石・ガンの心配もある。
男性の場合：配偶者にふり回されるか病気で死なれる。
女性の場合：打算的で姑・夫・子ども先妻の子どもの面倒をみる宿命となる。
アドバイス：健康管理がおろそかになっているので、けがや病気のときは体を休めるチャンスと前向きに考えて徹底的に休息をとる。開運のポイントは、つねに人のために役立ちたいと願うこと。
オール同数タイプ（天才か狂人運）
例えば、表６に示す徳永慶喜の場合は次のようになる。
【００１９】
【表６】
2006350446.tif 000007
先祖：古くは大金持タイプ。かならず女系の家系となり祖父母や父母が養子であるか、女性（祖母か母）が短命である。それによって、家はかたむいて没落する。
現世：没落家系を救うために必死に生きる。男性ならば父は養子で女性ならば母は養女か短命となる。
家系：先祖は栄えたが子どもの代から消滅していく家系である。
出生：家に一、三、五、七番目にできた子どもであり、ほかの兄弟がいなくなるか死亡して長男か長女の立場になる。
総合：千人に一人か万人に一人のめずらしいタイプ。天才か狂人かのどちらかでりあり、常識のワクにおさまらないタイプでもある。思いこみがはげしく、いつまでも執着する。したがって一生孤独な運となる。
相性・結婚：順序のバランス型としか合わず、ほかの型とはうまくいかない。突然の見合いで結婚することが多い。
仕事：いったん決めたら人の意見を聞かない。結果は吉か凶にはっきり分かれる。タテのガンコ型が入っていれば財産を築くが、ナナメのスター型が入っていると財産がなくなる。健康：昔は肺病だったが現在は心臓病と脳出血に注意を要する。
男性の場合：社会奉仕をすることを忘れずに生きる。
女性の場合：自分のみかたや考えかただけが正しいと思わない。
アドバイス：うまくすれば天才の評価をもつことができる。いつまでも親のスネをかじっていたり、いざというときは親に出資してもらおうなどと考えると不幸になる。
表十字型タイプ（奇人変人運）
例えば、表７に示す西園寺公望の場合は次のようになる。
【００２０】
【表７】
2006350446.tif 000008
先祖：ヨコのプライド型と上下のチャレンジ型の混合タイプ。女性なら父方の祖父の血系、男性なら母方の祖母血系が短命となる。家は一度切れた縁が復縁で継がれてきた。
現世：家から排斥された第三子までの子どもたちのうらみをかって、三番目にできた子まではしあわせになれない。このタイプが親子二代つづいたり、兄弟姉妹でそろうと家は滅びる。
家系：かたむいて没落しかかり絶える家系の二代目となる。父は病死や離婚、事業の失敗、遊び好きなどの理由で家に存在しなくなる。
出生：妊娠順序は第三子で現実的にあなたが長男・長女の立場になる。短命で終えるか養子になって家を出る。
総合：ガンコで常識が通用しないタイプ。奇人変人といえるが、事件や事故はめったに起こさない。注意深くものごとをみぬく力をもち頭脳優秀である。
相性・結婚：ピッタリ合う型はいない。たがいによく理解しないとうまくいかない。配偶者がタテのガンコ型なら、その人か子どもが失明することもある。
仕事：慎重なところと大胆なところが共存し、出たとこ勝負もあるが学んであらためる。すぐれた頭脳をもつために仕事はよくできる。
健康：自律神経からくる胃腸や大腸などの内蔵疾患や心臓病に注意を要する。４０歳代なかばから５５歳くらいまでが危険である。
男性の場合：配偶者を避けるようになる。
女性の場合：配偶者は短命か障害をもったり病弱となり、または単身赴任になる。
アドバイス：ヨコのプライド型と上下のチャレンジ型という異なった性格がいっしょになっているため、とても不安定である。
隔離型タイプ（先駆者運）
例えば、表８に示す西郷隆盛の場合は次のようになる。
【００２１】
【表８】
2006350446.tif 000009
先祖：タテ連続であれば祖父母は四番目にできた子であり、父か祖父（曾祖父）が養子で、独立するタイプ。ナナメ連続であれば、祖父母は第一子の長男が他界している家の三番目にできた子どもであり、女系家系で祖父は婿養子。親類からも世間からも迫害されて孤立する。
現世：祖先が社会的に白い目でみられたため世間をみかえそうとする。創造と破壊の両方の面をもっている。
家系：父方も母方も曾祖父母代までは栄えた。その後は祖父母の代と父母の代で長男に生存権がなく、次男が継承してかたむく家系となる。
出生：ナナメ連続だと三番目にできた子で、タテ連続だと四番目にできた子となる。離婚や金銭的なことでひどい人生となる。
総合：人におさえられることがきらいで目上の人や権力を受け入れないタイプ。好奇心が強くロマンチストだが、あきっぽく何度失敗してもこりない。不平不満だけをいって世を逆うらみをすると地獄のような人生となる。
相性・結婚：相性は上下のチャレンジ型がベストで、つぎに合うの中順序の波乱型の上下連続型である。結婚しても離婚することが多い。
仕事：クリエイティブな頭脳をもつので企画力をいかす職業がよい。目上の人に反抗して転職をすることが多いので金銭的にも苦労する。
健康：タテ連続だと消化器（食堂、胃、大腸）心不全・糖尿病に注意し、ナナメ連続なら胆のう・腎臓の病気や結石や炎症をおこしやすい。
男性の場合：物事を否定したり人を圧倒することが生きがい。
女性の場合：破壊や分裂的な言動をつつしむようにする。
アドバイス：悪口と自信過剰、ずばりこの二つを直せば開運の第一ステップが完了する。つぎのステップは持続力を身につけることである。
順序型タイプ（羨望運）
例えば、表９に示す聖徳太子の場合は次のようになる。
【００２２】
【表９】
2006350446.tif 000010
先祖：自然の流れに逆らうことなく無抵抗で生まれてきたタイプ。人に助けをもとめずにひたすら耐えたが、救いをもとめ宗教や哲学にのめりこむこともある。
現世：ひたすらに耐えるだけでまだ問題を解決したわけではないため、まず協調や妥協という姿勢で生きる。考えかたの幅は広くバランス感覚がある。社会的には人に推されてボス的存在となり、家では長男・長女で家長としての役割をもつ。
家系：無抵抗であった先祖を大切にして親や兄弟姉妹の面倒をみるようになる。伝統的なものや文化遺産などを守り子孫に継ぐことが多い。
出生：両親がたがいによりそって将来に夢をたくして愛情と信頼で結ばれていたときにできた子であり、長男・長女の立場となる。
総合：社会の秩序を守るボスタイプ。親孝行で弟や妹の面倒見がよく、人間関係や社会秩序がこわれることをきらう。とてもやさしく気を配りもしも相手を尊重する。従順でじっくり考え、ものごとをトータルにとらえることができるタイプ。
相性・結婚：どの型とも合わせることができるが、タテのガンコ型やタテ連続の中一差の辛抱型や同じタテ連続中二差の試練型やオール同数の天才狂人型が相性がいい。
仕事：若いときは金銭運はないが４０歳代から５０歳代にかけて円熟味を増す。
健康：幼児期にすこし病気をするが、それ以外は問題ない。長寿タイプとなる。
男性の場合：ボスでもボスの片腕としてもピッタリ。
女性の場合：大会社の社長秘書として活躍するのがもっとも合う。
アドバイス：基礎運１２タイプのなかでは、もっともすぐれているタイプといえる。円満な人格はそのままで、ちょぴりわがままでもよい。
中一差遠隔他順序型タイプ（組織擁立運）
例えば、表１０に示す羽柴秀吉の場合は次のようになる。
【００２３】
【表１０】
2006350446.tif 000011
先祖：タテ連続とナナメ連続の２種類があり、タテ連続の男性は母方の祖母が女性の場合は父方の祖父が養子か、人生をはかなむ試練を体験しているか、また遊び好きで浪費家、または守銭奴といように金銭的に特徴があるタイプ。ナナメ連続の男性は、母方の祖母が一族からお庇護がなく夫や長男からも援助がなくて苦労し、女性の場合は父方の祖父が血縁から縁を切られ遊び好きで家がかたむことが多い。
現世：最初にできた長男が家を継げない家タイプ。もし生まれて育つと親泣かせの子になり、また家でも社会でも二番手となる。
家系：分家の家系で長男が家を出るか、統率力がないかのどちからかとなる。
出生：タテ連続なら四番目、ナナメ連続なら三番目にできた子となる。どちらでも、次男次女の立場になる。
総合：生まれながらの二番手であり、社会でもだんだんと力をつけてから昇進する。強がりの言動をとると失敗する。
相性・結婚：タテ連続なら順序のバランス型やナナメ連続ならヨコのプライド型かヨコ連続が合う。
仕事：じっと辛抱して組織のなかで力をつければ、重役や代表取締役にもなれる。自分で決めた独立・転職には向かない。
健康：肺・心臓・脾臓・肝臓・腎臓・胆のうに気をつけ、とくに肝臓病や胆のう結石に注意する。
男性の場合：浮気して離婚する人が多い。
女性の場合：配偶者にしたがえばよい。
アドバイス：棚からぼたもちを待つことが開運のカギとなる。若いうちから独立・開業したり、リーダーシップをとろうとするとよくない。人生の転機は４０歳代からで、それまでに知識を高め人格をみがき経験を積んでおく。
中二差遠隔他順序型タイプ（大器晩成運）
例えば、表１１に示す徳川家康の場合は次のようになる。
【００２４】
【表１１】
2006350446.tif 000012
先祖：祖父母がタテ連続であれば四番目の子となり、ナナメ連続であれば三番目の子か後夫又は後妻の子となるタイプ。どちらにしても先に生まれた先夫・先妻の子どもの兄姉から家督相続権を奪って、第三子か第四子の祖父母が家を継いでいる。そのため排斥された兄や姉のうらみをかっている。社会でも家庭でも無責任な人となって、きらわれる要素があった。
現世：満足のいく生活ができない運命となる。子どもは、二番目（ナナメ連続）か三番目（タて連続）までは流産や堕胎で生まれない可能性がある。
家系：兄や姉の生きる権利を奪われたうらみは深く、タテ連続なら三番目でナナメ連続なら二番目までの子が早死するか、家にしかえしをする運命となる。
出生：タテ連続なら上に三人、ナナメ連続なら上に二人の子がいたはずだが、実質的に長男や長女の立場になる。
総合：うきしずみが多く変化のはげしい運勢となる。条件がわるい環境で育つことが多く、統率力のある父は他界しているか生きていても存在感がうすい。実力を身につかず信用を失いがちとなる。
相性・結婚：相性がいいのはタテのガンコ型と上下のチャレンジ型であり、つぎに合うのは隔離の先駆者型とヨコのプライド型である。
仕事：顔のかたちが丸形か四角なら確率は低いが、とても優秀な社長になる可能性もある。
健康：若いころは胃腸など自律神経からくる消化器系の病気や、脳出血・心不全・ガンにも注意する。
男性の場合：ともかく耐えることや寛容が必要であり、耐えられる人だけが一部上場の大社長になれる。
女性の場合：権利を主張することと義務をはたすことのバランスをたもつ。
アドバイス：たしかに試練が多いタイプ。家庭も仕事も恋愛も思いどおりにはいかない。大物になるには苦労し、それを克服し気持ちを切り替えること。大器晩成型なのであせってはいけない。表情をゆたかにするよう、心がけるのも開運のカギとなる。
中三差遠隔他順序型タイプ（混迷自虐運）
例えば、表１２に示す岡本かの子の場合は次のようになる。
【００２５】
【表１２】
2006350446.tif 000013
先祖：タテに同数かタテ連続していれば挫折し、ナナメに同数がナナメ連続なら血縁からのさげすみや体の障害をタテ・ヨコ両方に同数や連続した数字があれば、踏みつけられて絶望する。
現世：挫折や絶縁家系を継承し、四次元界に生きる超人的な人間となることを目指す。短命なら子孫がそれを継ぎ、長生きだと子孫が絶えることが多い。
家系：とくにタテ系とナナメ系の場合だと、有能で経済的にめぐまれその家は絶える。三代目の絶家代に現れる代表的なもので、オール同数の天才狂人型とならんでもっともこわいタイプである。
出生：タテ連続なら二、四、八番目の子で、ナナメ連続は三、六番目の子となる。タテ・ヨコが同数で上下連続なら三、六番目の子となる。
総合：奇抜な運で常識を超えた世界を創造する。ナイーブで感動・感激しやすく、情にもろい。
相性・結婚：タテに同数があったり、タテ連続なら順序のバランス型が相性がいい。ナナメに同数があり、またナナメ連続ならヨコのプライド型でタテ・ヨコ両方に同数や連続した数字があれば、ナナメのスター型や中一差の辛抱型や中二差の試練型のナナメ連続である。一般的にはオール同数や天才狂人型と結婚する人が多い。
仕事：適しているのは学者・教員・作家・歌人・俳人・ジャーナリスト・ルポライター・裁判官・弁護士など多い。
健康：肝臓にとくに注意しタテ連続は心臓と通風、ナナメ連続はすい臓、タテとヨコが同数の人は心臓、大・小腸に気をつける。
男性の場合：四次元界で生きる使命があり、現実離れして生きる以外に方法はない。
女性の場合：かけおち、あと追い自殺、心中におちいりやすいので注意する。
アドバイス：自分から危険に飛びこみやすいタイプ。世のなかの矛盾に正面きってぶつかり、正義感を燃やすのもわるくないが過激になってはいけいない。
中順序他隔離タイプ（悔い千歳運）
例えば、表１３に示す宮本武蔵の場合は次のようになる。
【００２６】
【表１３】
2006350446.tif 000014
先祖：祖父母は初めての結婚に失敗、誕生した子を捨ておいて再婚したか、子どもの数が多く養子に出したりした。上下連続ならば配偶者とは死別しヨコ連続なら配偶者の無理解で苦しんだ。
現世：排除された先祖のうらみをかって、悔いばかりの人生になる。愛情面では親や配偶者、子どものだれかに泣かされる運勢となる。
家系：祖父母の父母（曾祖父母）の代までは家柄がよく、女性が支えてきた家系である。父が婿養子ならば問題はないが、実子の場合は短命になる。
出生：ヨコ連続なら三番目、上下連続なら末っ子だが、父か母の実質的な長男長女の立場となる。
総合：上下連続は行動的で実践に強いが、親・配偶者・子どもの愛情にめぐまれない。ヨコ連続は記憶力がよく、知性と理性をそなえているが優柔不断である。家庭環境は悲惨で自分の力では克服できるものはない。
相性・結婚：ヨコ連続ならナナメのスター型、上下連続なら隔離の先駆者型と合う。配偶者とトラブルが絶えない。また子どもで苦労する。
仕事：能力的にはすばらしいインテリ運があり、偏差値が高く頭脳を使いこなす分野の仕事が向いている。
健康：幼児期と晩年が危険であり、幼児期に問題がなかった場合は４０歳代で突然倒れる可能性がある。
男性の場合：上下連続なら行動性、ヨコ連続なら優柔不断に注意をする。
女性の場合：宿命づけられた枠をはずしては生きられない。
アドバイス：あなたの開運のカギはズバリ勉強である。一生勉強することが幸福につながる。仕事ができて、やさしい人物に成長することができれば、さらに困難が降りかかってきたとき支えてくれる人がおおぜい出てくる。
【００２７】
以上のように霊遺伝子から解く姓名判断法の主要な構成は、基礎運であるが、更にこの基礎運と影響運とにより構成されている。この両運の組み合わせによって姓名を判断するところに特徴を有している。ここで云う基礎運とは、高祖父母や曾祖父母といった先祖累代の霊魂が祖父母の代で凝結される運であり、また影響運とは祖父母と父母の霊魂が凝結した運であり、この影響運の遺伝子を通じて子供に伝わる霊が作用して運勢が作用するのである。
【００２８】
なお、基礎運は次の四つの運の生数（しょうすう）と和数（わすう）を計算して、各数を算定することが前提条件となる。
先祖運：ＡとＢを足したものが生数、一桁の数にしたものが和数（１５＋３＝１８  １＋８＝９）
性格運：ＢとＣを足したものが生数、一桁の数にしたものが和数（３＋１０＝１３  １＋３＝４）
愛情運：ＣとＤを足したものが生数、一桁の数にしたものが和数（１０＋１１＝２１  ２＋１＝３）
行動運：ＡとＤを足したものが生数、一桁の数にしたものが和数（１５＋１１＝２６  ２＋６＝８）
一方、表１４〜１６に示すように上影（名誉運）と下影（セックスエネルギー）、能動運（積極運）と受動運（消極運）、前半運（目的運）と後半運（結果運）と総合運の数値を出し、その数値の出し方は次のとおりである。
【００２９】
【表１４】
2006350446.tif 000015
【００３０】
【表１５】
2006350446.tif 000016
【００３１】
【表１６】
2006350446.tif 000017
上影（名誉運）：ＡとＣを足したものが生数、一桁の数にしたものが和数
下影（セックスエネルギー）：ＢとＤを足したものが生数、一桁の数にしたものが和数
能動運（積極運）：Ａ・Ｂ・Ｄを足したものが生数、一桁の数にしたものが和数
前半運（目的運）：Ａ・Ｂ・Ｄを足したものが生数、一桁の数にしたものが和数
後半運（結果運）：Ｂ・Ｃ・Ｄを足したものが生数、一桁の数にしたものが和数
総合運：Ａ・Ｂ・Ｃ・Ｄを足したものが生数、一桁の数にしたものが和数
以下、具体的な影響運について説明する。
【００３２】
〈影響運〉
影上下型タイプ（愛の衝撃運）
上影（名誉運）・祖先運・下影（セックスエネルギー）・愛情運が、各同格タイプで別名愛の衝撃運という。このタイプは、異性を思う気持ちが人一倍強く常にその情熱を内に秘めている人といえる。
影右型タイプ（加害者運）
上影（名誉運）・性格運・下影（セックスエネルギー）・行動運が同格タイプであり、別名加害者運ともいう。このタイプは名誉や栄光を重んじる傾向があり、それがその人の持ち味になっているということ、なかなかの精力家と見られる。それだけに気をつけないと倫理や道徳などの社会的な規範に抵触する可能性がある。
影左型タイプ（被害者運）
上影（名誉運）・行動運・下影（セックスエネルギー）・と性格運が同格タイプであり、別名被害者運ともいう。このタイプは第一子から第二子までが何らかの理由で淘汰され、第三子が実質的な長男長女となる相であり、第三子で家監が相続されてきた因縁がある家とみなされる。
前後型タイプ（行き詰まり運）
前半運（目的運）と後半運（結果運）が同格タイプであり、別名行き詰まり運ともいう。このタイプは、目的どおりの結果を望んではいても願いとは逆に結果を招くタイプである。このタイプは、しゃにむに突っ込んで墓穴を掘りやすいタイプといえる。
菱型タイプ（寂寞運）
基礎運の横型に影響運の影型が付帯するものと、中順序他隔離型の横スライドに影型が付帯しているものとがあるタイプであり、別名寂寞運といえる。端的にいうと影右型と影左型が同時に併設され、形而下的に見て菱形となっていることから菱型と呼ばれている。斜め影十字型・縦影十字型タイプ（悲愴壮絶運）
影上下型に影右型と影左型が併合されて独自の影十字型というタイプを構成し、別名悲愴壮絶運ともいえる。影上下型は独占欲の強い人で良くいうと献身的に愛を貫く人ですが、裏目に出ると単なるやきもち焼きとなり、過激な行動に走りたがる傾向を帯びている。加えて、付帯運の影右型がついているのでよけいに影上下型（愛の衝撃運）が持つ特徴が協調される。
斜め影逆十字型・縦影逆十字型タイプ（自暴自棄運）
基礎運の縦型と斜め型に影響運の前後型とそれに付帯する影上下型と、更に影左型又は影右型がついて影逆十字型を構成しているタイプであり、別名自暴自棄運ともいう。このタイプの特徴は、家系に残る徳分がすでに費えて家が終焉又は断絶するタイプである。
前先型タイプ（先徳運）
前半運と先祖運が同格で祖父母代と父母代で培われた徳分、つまりツキ運があって家を隆盛に導くタイプであり、別名先徳運ともいう。このタイプは祖父母代の公的な善行や篤い宗教心などによって因縁が浄化され、孫にこの先徳運が出るタイプである。
前性型タイプ（気随気まま運）
前半運（目的運）と性格運が同格タイプであり、別名気随気まま運ともいう。このタイプは目的に向かって強行策を貫き通し不撓不屈の精神で一路邁進するタイプである。このタイプを持つ人は一般的に剛毅で勝ち気でそのうえ勝手気ままで自分だけしか通用しない哲学を持ち主といえる。
前名型タイプ（前期名望運）
前半運（目的運）と上影（名誉運）と同格タイプであり、別名前期名望運ともいう。このタイプでは若い頃から頭角を現わすいわば前期の花咲運となる。また、このタイプは頭上に光彩という暗示があり吉に出ると文字どおり万人に一人の名誉や栄光を手にすることができますが、凶に出ると不名誉なことで名を汚すことになる。
前総型タイプ（目的遂行運）
前半運（目的運）と総格（総合運）が同格タイプであり、別名目的遂行運ともいう。このタイプは、全身全霊でもって目的に向かって突き進むことを暗示しているタイプである。また、このタイプは自力本願の最たるものといってよく、より強く生きようという場合は自らが自己開発に努める以外に方策はない。
影型タイプ（影まぼろし運）
上影（名誉運）と下影（セックスエネルギー）が同格タイプであり、別名影まぼろし運とも云う。このタイプは、人生無為なるかを悟りはかなさやむなしさが残る悲嘆非悲惨型あるいは破壊衰亡を暗示誘導する代表的な影響運といえる。その特徴は、人格が無視される運命にある。
後半一落ち型タイプ（混濁混迷慟哭運）
後半運（結果運）の和数が１になると、特に一落ち現象といって特別に忌憚されるべき顕著な意味合いがあるタイプであり、別名混濁混迷慟哭運ともいう。このタイプは、好むと好まざるとにかかわらず無意識のまま筋道を踏みはずし、身の不運を悲しむタイプである。
前愛型タイプ（愛情崩壊運）
前半運（目的運）と愛情運が同格タイプであり、別名愛情崩壊運ともいう。このタイプは、博愛主義的なところがあり親・親戚・兄弟姉妹などの身内はもとより、仕事上の取引先から一般顧客に至まですべての関係者に分け隔てなく愛情を注ぐ傾向があり、それも相手に好かれようと意図してそうしているのではなく、無意識にそういった行為に及んでいるタイプである。
前行型タイプ（前半ツキ運）
祖父母と父母の二代の善徳が功を奏して導かれ、人生の前半にツキを呼ぶ吉祥運のタイプであり、別名前半ツキ運ともいう。また、このタイプは前半運（目的運）と行動運が同格でそろっているので、目的を達成する行動ということになる。これを漁夫の利ともいうべき行動運をそなえたツキ運が付加する形であるから、人生の前半（２７歳ぐらいまで）が輝かしいものとなるタイプでもある。
前セ型タイプ（結婚不適格運）
前半運（目的運）と下影（セックスエネルギー）が同格タイプであり、別名結婚不的格運とも云う。このタイプは、実際に離婚したり、別居したりまた配偶者を失っているケースが多い。
後行型タイプ（意図クリアー運）
行動運と後半運（結果運）同格タイプであり、別名意図クリアー運ともいう。このタイプは人生をより効果的に生きようと意図し、それを現実化しようと努力するタイプである。
後名型タイプ（名望運）
上影（名誉運）と後半運（結果運）が同格タイプであり、別名名望運ともいう。このタイプは人生の後半にそれまでかかわってきた業界で、ここにこの人ありと知られるような名望運のタイプである。
後先型タイプ（後期先徳運）
後半運（結果運）と先祖運が同格タイプであり、別名後期先徳運ともいう。このタイプは、先祖が温存していた遺伝子のままに結果が導かれるタイプである。
総愛型（親子断絶運）
総格と愛情運が同格タイプであり、別名親子断絶運ともいう。このタイプは愛情に全人格・全人生を注ぐということになる。
総行型タイプ（行動強烈運）
総格と行動運が同格タイプであり、別名行動強烈運ともいう、このタイプでは本人の人格がそのまま行動になって現われるので、行動・実践に富む人となり打って出る強烈な行動性に大きな特徴があるタイプでもある。
総先型タイプ（遺徳運）
総格と先祖運と同格タイプであり、別名遺徳運ともいう。このタイプは、先祖の因縁がそのまま結果に反映する宿命を持つタイプである。また、このタイプの人格形成は先祖からの遺伝子によって決まり人格どおりに全人生運が誘導されるタイプでもある。
総性型タイプ（生涯わがまま運）
全人格・全人生運を意味する総格を性格運で補強しているタイプでもあり、別名が生涯わがまま運ともいう。また、このタイプは性格の強い人や頑固な人ということになり、良く出ると道徳心がしっかりしていて誘惑に負けない人となるが、悪く出ると条理や常識を曲げても自らのわがままを通す人となる。
総セ型タイプ（三角関係運）
総格と下影（セックスエネルギー）が同格タイプであり、別名三角関係運ともいう。このタイプは総格は全人格・全人生運を意味し、いわば頭脳の部分にあたり公の表の顔といえるタイプである。
総名型タイプ（生涯の面目躍如運）
上影（名誉運）と総格が同格タイプであり、別名生涯の面目躍如運ともいう。このタイプは名声・名誉にかかわる吉凶を占う人生運のタイプであり、国民栄誉の藍綬褒章や黄綬褒章に輝く顔ぶれが多いのですが半面不名誉な事件を起こす人も大勢いる。
能名型タイプ（名誉挽回運）
上影（名誉運）と能動運（積極運）が同格タイプであり、別名名誉挽回運ともいう。このタイプによく似ているものに前名型（前期名望運）があり、とくに父母代が経済的に因窮していたかもしくは社会的に不名誉な境遇であったかで、いずれにしても世間から白眼視され幸い思いをした家の孫の代に出る傾向があるタイプである。
能性型タイプ（剛毅チャレンジ運）
能力運（積極運）と性格運が同格タイプであり、別名剛毅チャレンジ運ともいう。このタイプは、困難で承知であえて火中に身を投じるチャレンジ精神旺盛なタイプである。
能愛型タイプ（愛慕離別運）
能力運（積極運）と愛情運が結ばれるタイプであり、別名愛慕離別運ともいう。このタイプは、家系の流れから見ると祖父母代が家に再興に浮沈をかけて生き、わが子に愛情を注ぐよりも家業や国家の急務に奔走して生きた霊が孫の代に影響するタイプである。
受セ型タイプ（流転豹変運）
下影（セックスエネルギー）のタイプでり、別名流転豹変運ともいう。このタイプに限らず下影（セックスエネルギー）が絡む運勢型は、生命の根幹に触れる意味合いがあり大いに生きることを促進しているととらえるが、半面凶と出ると目も当てられない結果を招きやすいので注意が必要なタイプでもある。
受性型タイプ（執念怨念運）
受動運（消極運）と性格運が同格のタイプであり、別名執念怨念運ともいう。このタイプは性格運と受動運（消極運）が同格で揃うと性格が消極化したりいじけたり、または陰湿化していつも思いが晴れない状態となるタイプでもある。
先受型タイプ（七難八苦運）
受動運（消極運）と先祖運が同格タイプであり、別名七難八苦運ともいうこのタイプは生まれながらにして七難八苦の十字架を背負い、家系にまつわる因縁を浄化する役割を果たさなければならない宿命にあるタイプでもある。
裏後半一落ち型タイプ（不存在運）
祖父母・両親と二代にわたる屈辱的な境涯の被写体と見ることができるタイプであり、別名不存在運ともいう。このタイプは、もともと存在性や価値観が高くあるべきと願っているところがあるので、精神性の枯渇は否めないまでも能力的には非常に優れた人が多いタイプである。
裏前・表前後型タイプ（不退転運）
能動運と後半運が同格タイプであり、別名不退転運ともいう。このタイプはまず目的を貫徹し、そのためには注意を怠らず監視し準備し対策を練り配慮して努力を続け必ず勝者になるまで自分の意思を通そうとするタイプである。
表前・裏前後型タイプ（惜別運）
基礎運が斜め型タイプであり、別名惜別運ともいう。このタイプはひと言でいうと、うたかたの夢の人生運を暗示し、別れることを辛く思うタイプである。